(57)【要約】【課題】簡単な構成で、広い範囲に高いコントラストを有する種々の形状の自動焦点検出用パターンを投影する補助投影装置を提供すること。【解決手段】自動焦点検出装置４０を内蔵するカメラに装着または内蔵され、自動あるいは手動で焦点検出用パターン２０を前記被写体に投影し、該焦点検出用パターン２０を前記自動焦点検出装置４０に検出させる補助光投影装置Ａにおいて、前記補助光投影装置Ａは、光源部３１と、該光源３１からの光を投光する投光部と、前記光を偏向する光学部材３３とを有し、前記光学部材３３は、傾き角度制御可能な複数のミラー３２を有し、前記焦点検出用パターン２０を前記複数のミラー３２の傾き角度をそれぞれ制御して形成する。【選択図】  図３
2004165841.tif 000002
【特許請求の範囲】
【請求項１】
自動焦点検出装置を内蔵するカメラに装着または内蔵され、自動あるいは手動で焦点検出用パターンを前記被写体に投影し、該焦点検出用パターンを前記自動焦点検出装置に検出させる補助光投影装置において、
前記補助光投影装置は、
光源部と、該光源部からの光を投光する投光部と、前記光を偏向する光学部材とを有し、
前記光学部材は、傾き角度制御可能な複数のミラーを有し、
前記焦点検出用パターンを前記複数のミラーの傾き角度をそれぞれ制御して形成することを特徴とする補助光投影装置。
【請求項２】
前記前記焦点検出用パターンは、前記複数のミラーからの反射光によって構成されていることを特徴とする請求項１に記載の補助光投影装置。
【請求項３】
前記焦点検出用パターンの倍率は、カメラに装着された撮影レンズの焦点距離に基づいて変更可能であることを特徴とする請求項１または２に記載の補助光投影装置。
【請求項４】
前記補助光投影装置は、前記複数のミラーの傾き角度を制御することにより、前記焦点検出用パターンの光量を調節可能であることを特徴とする請求項１乃至３の何れか１項に記載の補助光投影装置。
【請求項５】
前記自動焦点検出装置の選択された少なくとも１つのＡＦエリアに連動して、該ＡＦエリアに対応する被写体上の位置に前記焦点検出用パターンを投影するように、前記複数のミラーの傾き角度を制御することを特徴とする請求項１乃至４の何れか１項に記載の補助光投影装置。
【発明の詳細な説明】
【０００１】
【発明の属する技術分野】
本発明は、自動焦点検出用の補助光投影装置に関する。
【０００２】
【従来技術】
従来、カメラ撮影の自動焦点検出に使用される補助光投影装置では、被写体が暗い場合や、コントラストが無い場合は、スリット状の縞模様パターンを被写体に投射し、そのパターンをカメラが検出して自動焦点検出を行う。近年、自動焦点検出の検出エリアが拡大している。このため、補助光投影装置では、例えば事前に配置された自動焦点検出に用いられる縞模様パターンをさらに分割して投射することで、より広い範囲で自動焦点検出できる焦点検出用パターンが用いられている（例えば、特許文献１参照。）。
【０００３】
このような、補助光投影装置では、焦点検出用のパターンを形成したフィルムパターンを光源であるＬＥＤの前面に配置し、被写体に焦点検出用パターンを投影する方法や、ＬＥＤに形成されたパターンをレンズ等を用いて複数に分割して被写体に投影し、焦点検出用パターンとして用いる方法が使われている（例えば、特許文献２参照。）。
【０００４】
【特許文献１】
特開平６−３４７６９０号公報（第３図）
【特許文献２】
特開平６−３１３８３９号公報（段落「００１４」、第６図）
【０００５】
【発明が解決しようとする課題】
しかしながら、上述の焦点検出用パターンの形成方法を有する補助光投影装置では、次のような問題点を有していた。
【０００６】
前者のフイルムパターンの形状や後者のＬＥＤに形成されたパターンの形状は、あらかじめ決められているので、使用する測距センサーによっては、周期パターンの影響により、デフォーカス量、デフォーカス方向を誤検出して、デフォーカスした所で合焦と判定してしまう、いわゆる偽合焦の問題が生じてしまう。
【０００７】
また、前者のフイルムパターン形状や後者のＬＥＤに形成されたパターン形状は、あらかじめ使用する投光レンズ等により照射倍率が決まってしまっている。従って、撮影レンズの焦点距離によって、測距センサーにかかる照射パターンの照射倍率が異なってしまう。例えば、１０５ｍｍ程度の焦点距離のレンズを使用した場合には、測距センサーに対して照射パターンの倍率がかなり高くなるので、照射パターンの形状によっては測距センサーが自動焦点検出する際に正確に測距できないという問題が生じていた。
【０００８】
さらにまた、前者では、自動焦点検出エリアの大きさに応じて、フィルムパターンをその都度適切な形状に変更しなければならなかった。
【０００９】
また、後者では、焦点検出用パターンを分割して照射した際に、各分割パターンを使用する一部のＡＦエリアのみに対応させようとした場合には、光学部材等により非常に複雑に分割する必要があった。そして、各分割パターンの点灯の有無を判定したりと非常に複雑な構成となることが避けられない。また、分割パターンの光量比はあらかじめ決められているので、必要なときに必要な個所だけ光量を自在に調整することが不可能であった。
【００１０】
また、後者では、やみくもに分割数を増やして広い範囲の焦点検出に対応しようとすると、被写体での光量が低下してしまい、複数個のＬＥＤを使う必要が生じたり、ＬＥＤに加えるパワーをあげる必要があるなど、コストの点や、ＬＥＤの光源寿命に影響を与えたり、使用する電池の寿命が短くなるなどの点で問題となる。
【００１１】
また、後者では、センサーが縦長形状か横長形状かに応じて、ＬＥＤに形成されたパターンをセンサーに対して垂直に配置させる必要があったので、スペースや配置上などで色々と制約を生じてしまう。
【００１２】
本発明は、上記問題に鑑みてなされたものであり、広い範囲に高いコントラストを有する種々の形状の焦点検出用パターンを投影する補助光投影装置を提供することを目的とする。
【００１３】
【課題を解決するための手段】
上記目標を達成するために、本発明では、自動焦点検出装置を内蔵するカメラに装着または内蔵され、自動あるいは手動で焦点検出用パターンを前記被写体に投影し、該焦点検出用パターンを前記自動焦点検出装置に検出させる補助光投影装置において、
前記補助光投影装置は、光源部と、該光源部からの光を投光する投光部と、前記光を偏向する光学部材とを有し、前記光学部材は、傾き角度制御可能な複数のミラーを有し、前記焦点検出用パターンを前記複数のミラーの傾き角度をそれぞれ制御して形成することを特徴とする補助光投影装置を提供する。
【００１４】
また、本発明の補助光投影装置では、前記焦点検出用パターンは、前記複数のミラーからの反射光によって構成されていることが好ましい。
【００１５】
また、本発明の補助光投影装置では、前記焦点検出用パターンの倍率は、カメラに装着された撮影レンズの焦点距離に基づいて変更可能であることが好ましい。
【００１６】
また、本発明の補助光投影装置では、前記補助光投影装置は、前記複数のミラーの傾き角度を制御することにより、前記焦点検出用パターンの光量を調節可能であることが好ましい。
【００１７】
また、本発明の補助光投影装置では、前記自動焦点検出装置の選択された少なくとも１つのＡＦエリアに連動して、該ＡＦエリアに対応する被写体上の位置に前記焦点検出用パターンを投影するように、前記複数のミラーの傾き角度を制御することが好ましい。
【００１８】
【発明の実施形態】
本発明の一実施の形態を図面を参照しつつ説明する。
【００１９】
図１は、本発明にかかる補助光投影装置を自動焦点カメラに搭載した概略構成図を示し、図２は本発明の実施の形態にかかる補助光投影装置の投影光学系の概略構成図を示し、図３は本発明の実施の形態にかかる焦点検出用パターンの一例を示す。図４（ａ）は図３で示す光学部材の概略正面図を、図４（ｂ）は傾き角度制御可能なミラーの概略図を、図５は、図４（ａ）をより詳しく説明する図である。図６、図７は焦点検出用パターンを形成するときのミラーの設定例を示す。図８は焦点検出装置の一例を示し、図９、図１０は自動焦点検出の概略説明図を示す。
【００２０】
図１において、撮影レンズ１は、被写界の光を入射させ、メインミラー３はこの入射された光を不図示のファインダー系と焦点検出系とに分割する。焦点検出系への光線７はメインミラー３を通過後サブミラー９で反射され、焦点検出手段１１に入射し、自動焦点調節のための測距に使用されるとともに、被写体から入射した光の輝度あるいはコントラストが検出される。自動焦点調節は、焦点検出手段１１によって被写体の焦点ずれが検出された後、制御手段１３を介して不図示のレンズ駆動装置を制御し、焦点調節が行われ合焦が行われる。
【００２１】
一方、制御手段１３からの入射光の輝度あるいはコントラストの情報は、判定手段１５に送られ、被写体の輝度あるいはコントラストが低いと判断された場合には、補助光投影手段１７から被写体上に図３に示す焦点検出用パターン２０からなる補助光を投影する。この投影された焦点検出用パターン２０の反射光を撮像レンズ１、メインミラー３、サブミラー９を介して焦点検出手段１１に入射し、焦点検出を行う。合焦点が検出された後、メインミラー３が跳ね上げられ、シャッター１８が動作し、フィルムまたはＣＣＤ１９に被写体像が結像される。このようにして、補助光投影装置Ａを搭載した自動焦点カメラが構成されている。
【００２２】
また、焦点検出用パターン２０は、カメラに装着された撮影レンズ１の焦点距離に基づいて制御手段１３によって倍率が設定されて、補助光投影装置Ａから所望の倍率に制御された焦点検出用パターン２０が被写体に投影される。
【００２３】
なお、この場合には、レンズの焦点距離が変わっても、フィルム面上で同じ大きさになるように焦点検出用パターンの大きさを変更するようにするのが好ましい。
【００２４】
なおまた、補助光投影装置Ａは自動焦点カメラに内蔵されていても良いし、自動焦点カメラの外部に、例えば、外付けフラッシュと一体にして配置されても良い。
【００２５】
また、制御手段１３が判定手段１５の機能を有している場合には、判定手段１５は特に設けなくても良い。
【００２６】
次に、図２〜図７に基づき本発明の実施の形態にかかる焦点検出用パターン２０の形成方法に関して説明する。
【００２７】
図２は本実施の形態にかかる補助光学系の投影光学系の概略構成図を示す。図２において、投影光学系３０は、光源部３１と光源部３１からの光を角度制御可能な複数のミラー３２で形成された光学部材３３に投影する投影レンズ３４から構成されている。部材３５は投影光学系を保護する保護部材である。
【００２８】
光源部３１には、高輝度のＬＥＤや半導体レーザ光源等が用いられる。光源部３１からの光は、投影レンズ３４により略平行光にされて、光軸に対して略４５度に配置された光学部材３３に入射される。光学部材３３には、角度制御可能な微小なミラー３２が複数配置されており、これら複数のミラー３２で反射された光は図中大矢印３６で示される被写体方向へ射出される。そして、不図示の被写体に焦点検出用パターン２０として光源部３１からの光が投影される。
【００２９】
なお、光源部３１は、例えば非常に小さな面光源とし、焦点検出用パターンを非常に細かいドットで形成するようにしても良い。
【００３０】
図３に示す焦点検出用パターン２０は、補助光投影装置Ａから被写体に照射される焦点検出用パターンの一例である。斜線を施した部分は被写体に光が照射される明部２１を、斜線を施していない部分は被写体に光が照射されない部分２２を示す。
【００３１】
図４（ａ）に示すように、光学部材３３は角度制御可能なミラー３２を複数個（図では、例えば１６行×１６列）を同一面内に配置して構成されている。そしてこれら複数のミラー３２は、図４（ｂ）に示すように、不図示の制御系および制御機構によって個々のミラー３２が、Ｘ軸およびＹ軸に対して所定の角度で傾き角度をそれぞれ変更することができる構成となっている。そしてミラー３２の傾き角度が所望の角度に設定された場合には、光源部３１からの光は被写体上の所望の場所に向けてミラー３２で反射され、矢印３６（図２参照）方向に射出する。一方、ミラー３２の角度が光軸に対して被写体方向３６以外の角度に設定されたときには、光源部３１からの光は被写体方向３６に向かわず、光源部３１からの光は被写体上に照射されることはない。
【００３２】
図５は、先に説明した図４（ａ）を更に詳しく説明する図である。ここで、光学部材３３上に配置された、１行から１６行まで、またＡ列からＰ列までの合計２５６個のミラーにＡ１・・Ａ１６、Ｂ１・・Ｂ１６、・・、Ｐ１・・Ｐ１６とそれぞれ番号を付して表した。
【００３３】
例えば、図６は列方向に５本の明部（照射パターン）２１を有する焦点検出用パターン２０を示している。ここで、Ａ―Ｂ，Ｄ−Ｆ、Ｈ、Ｊ−ＭおよびＯ−Ｐ列のそれぞれ１〜１６行のミラーの傾き角度を光源部３１からの光を反射して被写体に照射するように設定する。一方、Ｃ、Ｇ、ＩおよびＮ列のそれぞれ１〜１６行のミラーは、その傾き角度が光源光３１からの光を被写体方向に反射しない角度に設定する。このようにして、焦点検出用パターン２０が形成されて被写体上に照射される。そして本焦点検出用パターン２０を用いてカメラの自動焦点検出が行われる。
【００３４】
図７は、別の焦点検出用パターン２０ａを形成する場合のミラーの配置を示している。焦点検出用パターン２０ａは、図６に示す焦点検出用パターン２０を略９０度回転した形状である。図７の場合は、１―２，４−６、８、１０−１３および１５−１６行のそれぞれＡ〜Ｐ列のミラーの傾き角度を光源部３１からの光を反射して被写体に照射するように設定する。一方、３、７、９および１４行のそれぞれＡ〜Ｐ列のミラーは、その傾き角度が光源光３１からの光を被写体方向に反射しない角度に設定する。このようにして、焦点検出用パターン２０ａが形成されて被写体上に照射される。そして本焦点検出用パターン２０ａを用いてカメラの自動焦点検出が行われる。
【００３５】
なお、上記説明ではミラー３２の各ミラーのうち、部分２２のミラーの傾き角度が光源部３１の光を被写体方向に反射しない角度に設定されている場合について説明したが、この場合、部分２２は光量損失となってしまうので、光量損失を避けるために、明部２１の何れかのミラー部が被写体上に照射する場所と同一の場所に光源部３１からの光を照射するようにミラーの傾き角度を設定するのが好ましい。例えば、図６において、Ｃ１〜Ｃ１６の反射光をＡ１〜Ａ１６またはＢ１〜Ｂ１６上に、Ｇ１〜Ｇ１６とＩ１〜Ｉ１６をＨ１〜Ｈ１６上に、そしてＮ１〜Ｎ１６をＯ１〜Ｏ１６またはＰ１〜Ｐ１６上にそれぞれ照射すれば、明部２１のそれぞれの領域が３列ないし４列からなる照射光を受けるため、明るさのムラを少なくすることができる。
【００３６】
なお、本願の光学部材３３では、例えば、一箇所に照射パターンを集中させたい場合には、全ミラーの角度を集中させたい部分へ光源光３１が反射するように設定することもできる。
【００３７】
また、本実施の形態においては、１６行×１６列の２５６個のミラー３２を有する場合に付いて説明したが、実際には非常に微細に分割された数多くのミラーを用いて焦点検出用パターン２０、２０ａを形成している。
【００３８】
なお、上述の焦点検出パターン２０、２０ａは一例に過ぎず、ｍ行ｎ列（ｍ＝ｎも含む）の任意のミラー３２の傾き角度を変えることによって、種々の焦点検出パターンの形状を形成できるとともに、被写体上の任意の場所に焦点検出用パターンを投影することができる。また、異なる形状の複数の焦点検出用パターンを形成し、それぞれ被写体の異なる場所に投影することもできる。
【００３９】
また、ミラー３２はＸ軸およびＹ軸に対して傾き角度を変更できる場合について説明したが、例えばＤＭＤ素子（テキサス・インスツルメンツ（Ｔｅｘａｓ  Ｉｎｓｔｒｕｍｅｎｔｓ）社）等も本願のミラー３２として使用可能である。また、一軸のみに傾き角度が可変なミラーを行方向または列方向に交互に並べたり、市松模様状に並べたりして、複数のミラーの傾き角度をそれぞれ制御することによっても同様の焦点検出パターン２０、２０ａを形成することができる。
【００４０】
次に、本願実施の形態の焦点検出用パターンを使った自動焦点検出に関し説明する。
【００４１】
図８（ａ）は図１の焦点検出手段１１に用いられる自動焦点検出装置４０の一例を示し、図８（ｂ）は図８（ａ）に対応した自動焦点（ＡＦ）エリアを示す図である。図９（ａ）は第１の自動焦点検出の例を、図９（ｂ）は第２の自動焦点検出の例を、図９（ｃ）は第３の自動焦点検出の例を示している。
【００４２】
本例の場合、焦点検出用パターン２０、２０ａおよび２０ｂと図８に示す焦点検出装置４０によって焦点検出が行われる。
【００４３】
初めに、焦点検出装置４０のセンサーの配置について説明する。焦点検出装置４０は、中央の測距センサー４１と、中央部縦方向に配置された上下の測距センサー４３ａ１、４３ａ２、４３ｂ１および４３ｂ２と、同じく中央部横方向に配置された左右の測距センサー４５ａ１、４５ａ２、４５ｂ１および４５ｂ２と、左斜め上の測距センサー４６ａ１、４７ａ１および左斜め下の測距センサー４６ａ２、４７ａ２と、右斜め上の測距センサー４６ｂ１、４７ｂ１および右斜め下の測距センサー４６ｂ２、４７ｂ２の計１２点の測距センサーを有している。中央の測距センサー４１は十字センサーを、上下の測距センサー４３ａ１〜４３ｂ２は横センサーを、左右の測距センサー４５ａ１〜４５ｂ２は縦センサーを、左右斜め上下の測距センサー４６ａ１〜４７ｂ２は斜めセンサーを使用している。また図８（ｂ）に示すようにそれぞれのセンサーに対応してカメラのファインダーにＡＦエリア５１〜５７ｂ２が表示される。
【００４４】
図９（ａ）に示す第１の自動焦点検出の例は、撮影者によってＡＦエリア５３ａ２が選択された場合を示す。この場合、撮影者が不図示のＡＦエリア選択手段によってＡＦエリア５３ａ２を選択する。これに応じて図１の制御手段１３から補助光投影手段１７に制御信号が送られ、例えば焦点検出用パターン２０がＡＦエリア５３ａ２の位置に対応する被写体上に照射されるように光学部材３３に配置された複数のミラー３２の傾き角度がそれぞれ調整された後、焦点検出用パターン２０がＡＦエリア５３ａ２の位置に対応する被写体上に照射される。ＡＦエリア５３ａ２に照射された焦点検出用パターン２０を用いて、ＡＦエリア５３ａ２に配置された測距センサー４３ａ２によって焦点検出が行われ、合焦状態になるように不図示の駆動装置によって撮影レンズ１が駆動されて自動焦点合わせが行われる。
【００４５】
図９（ｂ）は第２の自動焦点検出の場合について示している。第２の自動焦点検出も第１の自動焦点検出と同様の制御で焦点検出が行われるが、ＡＦエリア５５ｂ１の測距センサーが縦センサーであるため、例えば焦点検出用パターンは図９（ａ）に示す焦点検出用パターン２０を略９０度回転した形状の焦点検出用パター２０ａを使用する。このときの自動検出用パターン２０ａは図９（ｂ）に示す焦点検出用パターン２０ａを形成するようなミラー配置となるように複数のミラー３２の傾き角度を不図示の制御装置で制御し、光源部３１の光を反射してＡＦエリア５５ｂ１に照射する。そして、ＡＦエリア５５ｂ１に照射された焦点検出用パターン２０ａを用いて、ＡＦエリア５５ｂ１に配置されたセンサー４５ｂ１によって焦点検出が行われ、合焦状態になるように不図示の駆動装置によって撮影レンズ１が駆動されて自動焦点合わせが行われる。
【００４６】
図９（ｃ）は、第３の自動焦点検出の場合について示している。第３の自動焦点検出も第１または第２の自動焦点検出と同様の制御で自動焦点検出が行われる。ここでは、ＡＦエリア５６ｂ１の測距センサーが斜めセンサー４６ｂ１であるため、例えば焦点検出用パターン２０ｂは、図９（ｃ）に示すように、焦点検出パターン２０を略斜め４５度回転した形状のものを使用する。このときの自動検出用パターン２０ｂは図９（ｃ）に示すようなミラー配置となるように複数のミラー３２の傾き角度を不図示の制御装置で制御し、光源３１の光を反射してＡＦエリア５６ｂ１に照射する。そして、ＡＦエリア５６ｂ１に照射された焦点検出用パターン２０ｂを用いて、ＡＦエリア５６ｂ１に配置された測距センサー４６ｂ１によって焦点検出が行われ、合焦状態になるように不図示の駆動装置によって撮影レンズ１が駆動されて自動焦点合わせが行われる。但し、ここで述べたような斜め略４５度に回転した焦点検出用パターン２０ｂを照射する場合においても、光学部材３３のミラー３２の傾き角度をそれぞれＸ軸およびＹ軸に対して所定の角度で制御することによって光源光３１を被写体上に照射することができる。
【００４７】
本実施の形態では、撮影者がＡＦエリアの選択手段によってＡＦエリアを選択する例について述べたが、複数ＡＦエリアの中から撮影状況に応じてカメラが自動的に適切なＡＦエリアを選択するようにしても良い。
【００４８】
また、これらの制御は高速で行われるため、複数のＡＦエリア５１〜５７ｂ２のどこを選択しても、選択されたＡＦエリアに応じた焦点検出用パターン（例えば、２０、２０ａ、２０ｂ）が被写体に照射され、焦点検出を行うことができる。
【００４９】
また、上述ようなＡＦエリア５１〜５７ｂ２に対応した被写体への焦点検出用パターン（例えば２０、２０ａ、２０ｂ）の照射は、光学部材３３に設けられた角度制御可能な複数のミラー３２の傾き角度の制御で行われるため、個別の焦点検出用パターンを前もって準備しておく必要はない。また焦点検出用パターンの形状も焦点検出用パターン２０、２０ａ、２０ｂに限らず、センサーの形状に応じて適時変更することも可能である。
【００５０】
さらに、光学部材３３の複数のミラー３２の傾き角度を制御することでＡＦエリア５１〜５７ｂ２に焦点検出用パターンの形状を高速に変更して照射することができるため、ＡＦエリア５１〜５７ｂ２のすべての位置に対して任意の順序で自動焦点検出をすることもできる。
【００５１】
図１０は、別の自動焦点検出の例を示したものである。図１０（ａ）は第４の自動焦点検出の例を、図１０（ｂ）は第５の自動焦点検出の例を示す。
【００５２】
図１０（ａ）の第４の自動焦点検出は、ファインダー内の視野全体にわたってＡＦエリア６２が複数配置されている場合を示す。この複数のＡＦエリア６２のうち選択されたＡＦエリア群６３（例では、４×３＝１２個のＡＦエリア６２を含む）に、光学部材３３の複数のミラー３２の傾き角度を制御することによって、焦点検出パターン群６４を照射し自動焦点検出を行う。この場合の焦点検出用パターン群６４は、選択されたＡＦエリア群６３にわたる大きさを有するものであって、選択されたＡＦエリア群６３の自動焦点検出を一度に行うことが可能である。
【００５３】
なお、上述の自動焦点検出は、選択されたＡＦエリア群６３中の個々のＡＦエリア６２に焦点検出用パターン２０を順次照射することによって行うことも可能である。
【００５４】
図１０（ｂ）は、第５の自動焦点検出の例であり、第４の自動焦点検出と同様の選択されたＡＦエリア群６５（例では、２０個のＡＦエリア６２を含む）に焦点検出用パターン群６６を、光学部材３３の複数のミラー３２の傾き角度を制御して照射し自動焦点検出を行う場合を示している。この場合の焦点検出用パターン群６６は、複数の種類の焦点検出用パターン６６ａ〜６６ｈを複数のミラー３２の傾き角度を制御して被写体に投影するものである。これにより、選択されたＡＦエリア群６５のそれぞれで自動焦点検出を行うことが可能である。
【００５５】
なお上述の場合、複数のミラー３２の傾き角度を制御して焦点検出用パターン６６ａ〜６６ｈを順次形成して被写体に照射しＡＦエリア群６５で順次自動焦点検出を行うこともできる。また、図９（ａ）、（ｂ）、（ｃ）に示す焦点検出用パターン２０、２０ａ、２０ｂを組み合わせて焦点検出用パターン群６６を形成することもできる。
【００５６】
次に、撮影レンズの焦点距離が変わった場合について説明する。
【００５７】
図１１は、従来例の自動焦点検出であり、図１２は、本願実施の形態に係る自動焦点検出を示している。
【００５８】
図１１（ａ）は、従来の例えば撮影レンズの焦点距離が３５ｍｍの広角レンズの場合、図１１（ｂ）は、従来の例えば撮影レンズの焦点距離が１０５ｍｍの望遠レンズの場合のフィルム面上におけるＡＦエリアの配置とそれに対する焦点検出用パターンをそれぞれ模式的に表したものである。
【００５９】
従来の、図１１（ａ）では、９箇所のＡＦエリア７２に対して焦点検出用パターン２０ｃが照射されている。一方、図１１（ｂ）では、１１箇所のＡＦエリア７２に対して焦点検出用パターン２０ｃが照射されていて、フィルム面の領域よりも広く照射されている。従って、広角レンズの場合の図１１（ａ）では、９箇所の各ＡＦエリア７２に対する測距センサーに適当な倍率で焦点検出用パターン２０ｃが照射されているが、望遠レンズの図１１（ｂ）では、１１箇所の各ＡＦエリアに対する測距センサーには焦点検出用パターン２０ｃの倍率が非常に高く照射されているため、焦点検出用パターンの形状によっては測距センサーが自動焦点検出する際に正確に測距できないという問題が生じる。
【００６０】
一方、図１２に示す、本願の実施の形態では、図１２（ａ）は、例えば撮影レンズの焦点距離が３５ｍｍの広角レンズの場合、図１２（ｂ）は、例えば撮影レンズの焦点距離が１０５ｍｍの望遠レンズの場合のフィルム面上におけるＡＦエリアの配置とそれに対する焦点検出用パターンをそれぞれ模式的に表したものである。
【００６１】
本願実施の形態では、被写体への焦点検出用パターンは、例えば、図９（ａ），（ｂ）に示す焦点検出用パターン２０、２０ａを組み合わせて形成したものである。これによると、望遠レンズの場合の図１２（ｂ）は、広角レンズの場合の図１２（ａ）とほぼ同等に９箇所の各ＡＦエリア７２に対する測距センサーに適当な倍率で焦点検出用パターン２０、２０ａが照射されていることが分かる。これは、図１２（ｂ）において、図１２（ａ）の焦点検出用パターン２０、２０ａとほぼ同等になるように、複数のミラー３２の各ミラーの傾き角度を制御したことによるものである。
【００６２】
以上説明したように、本願の補助光投影装置は光学部材３３の複数のミラー３２の傾き角度を制御することによって、種々の形状の自動焦点用パターンを所望のＡＦエリアに照射することができ、これを用いて自動焦点検出が可能となる。
【００６３】
また、必要な時に必要な個所だけ光量を自在に調整することができる。
【００６４】
また、使用する焦点検出センサーに応じて、周期パターンの形状を調節することが可能となる。
【００６５】
また、撮影レンズの焦点距離に応じて、焦点検出用パターンの倍率を調節することが可能となる。
【００６６】
なお、本発明の焦点検出用パターンは銀塩カメラのみならず、デジタルカメラ（電子スチルカメラ）、デジタルビデオカメラ等の記録媒体にも適用できる。
【００６７】
また、複数のミラーで形成される焦点検出用パターンの形状も上述の形状に限定されるものではなく、適宜変更が可能である。
【００６８】
また、被写体がある程度の明るさがあってもコントラストが低い場合などに適用することにより（従来は光量が足りなくて不可能であったが）測距性能を向上させること非常に有効である。
【００６９】
さらに、本発明は上述の実施の形態に限定されるものではなく、本発明の範囲内において適宜修正、変更が可能である。
【００７０】
【発明の効果】
上述のように、本発明では、簡単な構成で、広い範囲に高いコントラストを有する種々の形状の焦点検出用パターンを投影する補助光投影装置を提供できる。
【図面の簡単な説明】
【図１】本発明にかかる補助光投影装置を自動焦点カメラに搭載した概略構成図を示す。
【図２】本発明の実施形態にかかる自動焦点検出用パターンの一例を示す。
【図３】本発明の実施形態にかかる補助光投影装置の投影光学系の概略構成図を示す。
【図４】（ａ）は図３で示す光学部材の概略正面図を、（ｂ）は傾き角度制御可能なミラーの概略図を示す。
【図５】図４（ａ）をより詳しく説明する図。
【図６】本発明の実施の形態に係る焦点検出用パターンを形成したときのミラーの設定例を示す。
【図７】本発明の実施の形態に係る別の焦点検出用パターンを形成したときのミラーの設定例を示す。
【図８】（ａ）は焦点検出装置の測距センサーの配置例を示し、（ｂ）は（ａ）に対応するＡＦエリアの例を示す。
【図９】（ａ）は第１の自動焦点検出例の概略説明図を、（ｂ）は第２の自動焦点検出例の概略説明図を、（ｃ）は第３の自動焦点検出例の概略説明図を示す。
【図１０】（ａ）は第４の自動焦点検出例の概略説明図を示し、（ｂ）は第５の自動焦点検出例の概略説明図を示す。
【図１１】（ａ）は、従来の例えば撮影レンズの焦点距離が３５ｍｍの広角レンズの場合、（ｂ）は、従来の例えば撮影レンズの焦点距離が１０５ｍｍの望遠レンズの場合のフィルム面上におけるＡＦエリアの配置とそれに対する焦点検出用パターンをそれぞれ模式的に示す。
【図１２】（ａ）は、本発明の実施の形態に係る、例えば撮影レンズの焦点距離が３５ｍｍの広角レンズの場合、（ｂ）は、本発明の実施の形態に係る、例えば撮影レンズの焦点距離が１０５ｍｍの望遠レンズの場合のフィルム面上におけるＡＦエリアの配置とそれに対する焦点検出用パターンをそれぞれ模式的に示す。
【符号の説明】
１    撮影レンズ
３    メインミラー
７    焦点検出系
９    サブミラー
１１  焦点検出部
１３  制御手段
１５  判定手段
１７  補助光投影手段
１８  シャッター
１９  ＣＣＤまたはフィルム
２０、２０ａ  焦点検出用パターン
２０ｃ  従来の焦点検出用パターン
３０  投影光学系
３１  光源部
３２  ミラー
３３  光学部材
３４  投影レンズ
３５  保護部材
３６  射出方向
４０  焦点検出装置
４１  十字センサー
４３  横センサー
４５  縦センサー
４６、４７  斜めセンサー
５１〜５６  ＡＦエリア
６２、７２  ＡＦエリア
６３  選択されたＡＦエリア群
６４  焦点検出用パターン群
６５  選択されたＡＦエリア群
６６  焦点検出用パターン群
【図１】
2004165841.tif 000003
【図２】
2004165841.tif 000004
【図３】
2004165841.tif 000005
【図４】
2004165841.tif 000006
【図５】
2004165841.tif 000007
【図６】
2004165841.tif 000008
【図７】
2004165841.tif 000009
【図８】
2004165841.tif 000010
【図９】
2004165841.tif 000011
【図１０】
2004165841.tif 000012
【図１１】
2004165841.tif 000013
【図１２】
2004165841.tif 000014